【手続補正書】
【提出日】平成21年10月16日(2009.10.16)
【手続補正１】
【補正対象書類名】特許請求の範囲
【補正対象項目名】全文
【補正方法】変更
【補正の内容】
【特許請求の範囲】
【請求項１】
画像処理装置の機能によるジョブの処理に応じた資源の消費量を計算する情報処理装置であって、
前記画像処理装置の機能の使用を制限する機能制限情報を取得する第１取得手段と、
前記画像処理装置の機能により処理されたジョブのジョブ履歴データを取得する第２取得手段と、
前記第１取得手段で取得した機能制限情報を変更する変更手段と、
前記第２取得手段で取得したジョブ履歴データに対応するジョブを、前記変更手段による変更後の機能制限情報を用いて機能制限した場合の前記画像処理装置で処理した際の資源の消費量を計算する計算手段と、
前記計算手段の計算結果を出力する出力手段と
を備えることを特徴とする情報処理装置。
【請求項２】
前記機能制限情報を管理する管理装置に対して、前記変更手段による変更後の機能制限情報に更新するための指示を送信する送信手段とを更に備える
ことを特徴とする請求項１に記載の情報処理装置。
【請求項３】
前記機能制限情報は、ユーザ、部門及びロールの少なくとも何れかの単位毎に対する制限を示す情報であって、
前記変更手段が前記機能制限情報を変更する際には、ユーザ、部門及びロールの少なくとも何れかの単位毎に対する制限を変更する
ことを特徴とする請求項１または２に記載の情報処理装置。
【請求項４】
前記画像処理装置で使用する記録剤及び記録媒体の少なくとも１つを含む資源に対して単価情報が設定され、
前記計算手段は、前記単価情報に基づき、前記資源の消費量に応じて発生するコストを計算する
ことを特徴とする請求項１乃至３の何れか１項に記載の情報処理装置。
【請求項５】
前記計算手段は、
前記第２取得手段で取得したジョブ履歴データに基づいて、第１の期間内で前記画像処理装置で消費した資源に応じた第１コストを前記単価情報を用いて計算する第１計算手段と、
前記第２取得手段で取得したジョブ履歴データと、前記変更手段による変更後の機能制限情報とに基づいて、第２の期間内に前記画像処理装置で処理されたジョブを前記ジョブ履歴データより特定して、当該第２の期間内に前記画像処理装置で処理されたジョブを、前記変更手段による変更後の機能制限情報を用いて機能制限した場合の前記画像処理装置で処理した際に消費する資源に応じた第２コストを前記単価情報を用いて計算する第２計算手段と、
前記第１コストと第２コストとを表示する画面を生成する生成手段と
を備えることを特徴とする請求項４に記載の情報処理装置。
【請求項６】
前記第２の期間を切り替える切替手段を更に備える
ことを特徴とする請求項５に記載の情報処理装置。
【請求項７】
前記切替手段手段は、前記第２の期間を前期及び前年同期の何れかに切り替える
ことを特徴とする請求項６に記載の情報処理装置。
【請求項８】
前記生成手段により生成される画面は、
前記第１コスト及び第２コストをそれぞれ表示する第１及び第２表示領域と、
前記機能制限情報を管理する管理単位毎に各機能制限情報を表示し、かつ変更を受け付けるコントロール領域と、
前記単価情報を設定する設定部と、
前記第２計算手段の計算を指示する指示部と、
前記変更手段による変更後の機能制限情報の更新を指示する更新指示部と、
前記計算手段による計算対象の期間を切り替える切替部とを含む
ことを特徴とする請求項５に記載の情報処理装置。
【請求項９】
前記機能制限情報は、前記画像処理装置の印刷機能、コピー機能、ＦＡＸ機能、及び送信機能の少なくとも何れかの使用可否を示す
ことを特徴とする請求項１乃至８の何れか１項に記載の情報処理装置。
【請求項１０】
前記機能制限情報は、前記画像処理装置の印刷機能における、両面印刷、カラー印刷、及びページレイアウトの少なくとも何れかの出力形式に対する制限を加えるための制限情報である
ことを特徴とする請求項１乃至８の何れか１項に記載の情報処理装置。
【請求項１１】
画像処理装置の機能によるジョブの処理に応じて消費される資源に応じたコストを計算する情報処理装置であって、
前記画像処理装置の機能の使用を制限する機能制限情報を取得する第１取得手段と、
前記画像処理装置の機能により処理されたジョブのジョブ履歴データを取得する第２取得手段と、
前記第１取得手段で取得した機能制限情報を変更する変更手段と、
前記第２取得手段で取得したジョブ履歴データとに基づいて、第１の期間内で前記画像処理装置で消費した資源に応じた第１コストを計算する第１計算手段と、
前記第２取得手段で取得したジョブ履歴データと、前記変更手段による変更後の機能制限情報とに基づいて、第２の期間内に前記画像処理装置で処理されたジョブを前記ジョブ履歴データより特定して、当該第２の期間内に前記画像処理装置で処理されたジョブを、前記変更手段による変更後の機能制限情報を用いて機能制限した場合の前記画像処理装置で処理した際に消費する資源に応じた第２コストを計算する第２計算手段と、
前記第２計算手段で用いる第２の期間を指定する指定手段と、
前記第１コストと第２コストとを表示する画面を生成し、出力する出力手段とを備え、
前記変更手段による変更及び前記指定手段による指定に基づき変化する前記第２の計算手段が計算する第２のコストを前記出力手段が生成し、出力する画面により確認できる
ことを特徴とする情報処理装置。
【請求項１２】
画像処理装置の機能によるジョブの処理に応じた資源の消費量を計算する情報処理装置の制御方法であって、
第１取得手段が、前記画像処理装置の機能の使用を制限する機能制限情報を取得する第１取得工程と、
第２取得手段が、前記画像処理装置の機能により処理されたジョブのジョブ履歴データを取得する第２取得工程と、
変更手段が、前記第１取得工程で取得した機能制限情報を変更する変更工程と、
計算手段が、前記第２取得工程で取得したジョブ履歴データに対応するジョブを、前記変更工程による変更後の機能制限情報を用いて機能制限した場合の前記画像処理装置で処理した際の資源の消費量を計算する計算工程と、
出力手段が、前記計算工程の計算結果を出力する出力工程と
を備えることを特徴とする情報処理装置の制御方法。
【請求項１３】
画像処理装置の機能によるジョブの処理に応じて消費される資源に応じたコストを計算する情報処理装置の制御方法であって、
第１取得手段が、前記画像処理装置の機能の使用を制限する機能制限情報を取得する第１取得工程と、
第２取得手段が、前記画像処理装置の機能により処理されたジョブのジョブ履歴データを取得する第２取得工程と、
変更手段が、前記第１取得工程で取得した機能制限情報を変更する変更工程と、
第１計算手段が、前記第２取得工程で取得したジョブ履歴データとに基づいて、第１の期間内で前記画像処理装置で消費した資源に応じた第１コストを計算する第１計算工程と、
第２計算手段が、前記第２取得工程で取得したジョブ履歴データと、前記変更工程による変更後の機能制限情報とに基づいて、第２の期間内に前記画像処理装置で処理されたジョブを前記ジョブ履歴データより特定して、当該第２の期間内に前記画像処理装置で処理されたジョブを、前記変更工程による変更後の機能制限情報を用いて機能制限した場合の前記画像処理装置で処理した際に消費する資源に応じた第２コストを計算する第２計算工程と、
指定手段が、前記第２計算工程で用いる第２の期間を指定する指定工程と、
出力手段が、前記第１コストと第２コストとを表示する画面を生成し、出力する出力工程とを備え、
前記変更工程による変更及び前記指定工程による指定に基づき変化する前記第２の計算工程が計算する第２のコストを前記出力工程が生成し、出力する画面により確認できる
ことを特徴とする情報処理装置の制御方法。
【請求項１４】
画像処理装置の印刷機能によるジョブの印刷処理に応じた資源の消費量を計算する情報処理装置であって、
前記画像処理装置で印刷処理されたジョブのジョブ履歴データを取得する取得手段と、
前記取得手段で取得したジョブ履歴データに対応するジョブを機能制限されることで変更される印刷設定を用いて、前記画像処理装置で印刷処理した際の資源の消費量を計算する計算手段と、
前記計算手段の計算結果を用いた出力を行う出力手段と
を備えることを特徴とする情報処理装置。
【請求項１５】
前記計算手段における機能制限として、ジョブ履歴データに対応するジョブに対する印刷設定がＮ−ＵＰ（Ｎ≧２）設定及び両面設定の少なくとも何れかの設定に変更される
ことを特徴とする請求項１４に記載の情報処理装置。
【請求項１６】
前記機能制限は、画像処理装置の印刷機能の使用を制限するための機能制限情報を用いて行われ、
前記機能制限情報を管理する管理装置に対して、前記計算手段における機能制限を行うための機能制限情報に更新するための指示を送信する送信手段とを更に備える
ことを特徴とする請求項１４または１５に記載の情報処理装置。
【請求項１７】
前記出力手段は、前記取得手段で取得したジョブ履歴データに対応するジョブを前記画像処理装置で実際に印刷処理された際の資源の消費量と、前記計算手段により計算された資源の消費量とから、印刷設定の変更による資源の消費量の変化を確認できる出力を行う
ことを特徴とする請求項１４乃至１６の何れか１項に記載の情報処理装置。
【請求項１８】
画像処理装置の印刷機能によるジョブの印刷処理に応じた資源の消費量を計算する情報処理装置の制御方法であって、
取得手段が、前記画像処理装置で印刷処理されたジョブのジョブ履歴データを取得する取得工程と、
計算手段が、前記取得工程で取得したジョブ履歴データに対応するジョブを機能制限されることで変更される印刷設定を用いて、前記画像処理装置で印刷処理した際の資源の消費量を計算する計算工程と、
出力手段が、前記計算工程の計算結果を用いた出力を行う出力工程と
を備えることを特徴とする情報処理装置の制御方法。
【請求項１９】
請求項１、請求項１１及び請求項１４のいずれか１項に記載の情報処理装置の制御をコンピュータに機能させるためのプログラム。